(57)【要約】【課題】型式が異なる制御ユニット間においても運転条件データの継承が可能な、制御ユニット間のデータ継承方法を提供する。【解決手段】新制御ユニット１０と旧制御ユニット５０について、同一種別の運転条件データに対してデータ名称とデータ形式が共通化されている。新制御ユニット１０の制御部が、旧制御ユニット５０に対して、データ名称を指定して運転条件データの送信を要求するデータ要求ステップと、旧制御ユニット５０の制御部６１が、この要求に応じて旧制御ユニット５０から送信された運転条件データを新制御ユニット１０に送信するデータ応答ステップと、新制御ユニット１０の制御部２１が、旧制御ユニット５０から受信した運転条件データを、ＲＡＭ２２に書き込むデータ書き込みステップとを含む。【選択図】  図１
2016151362.tif 000002
【特許請求の範囲】
【請求項１】
装置に搭載して使用され、通信ポートと、メモリと、該メモリに保持された運転条件データを用いて前記装置の作動を制御する制御部とを備えた制御ユニットを交換する際に、交換前の旧制御ユニットのメモリに保持されていた前記運転条件データを、交換後の新制御ユニットに継承させる方法であって、
前記新制御ユニット及び前記旧制御ユニットは、同一種別の前記運転条件データについて、データ名称及びデータ形式が共通化された複数の型式の前記制御ユニットのうちのいずれかであり、
前記新制御ユニットの通信ポートと前記旧制御ユニットの通信ポート間の通信が確立されたときに、前記新制御ユニットの制御部が、前記旧制御ユニットに対して、前記共通化されたデータ名称の前記運転条件データの送信を要求するデータ要求ステップと、
前記旧制御ユニットの制御部が、前記データ要求ステップによる前記運転条件データの送信の要求に応じて、前記旧制御ユニットのメモリに保持された前記共通化されたデータ名称の前記運転条件データを、前記新制御ユニットに送信するデータ応答ステップと、
前記新制御ユニットの制御部が、前記データ応答ステップにより前記旧制御ユニットから送信された前記運転条件データを受信して、前記新制御ユニットのメモリに書き込むデータ書き込みステップと
を含むことを特徴とする制御ユニット間のデータ継承方法。
【請求項２】
請求項１に記載の制御ユニット間のデータ継承方法において、
前記複数の型式の制御ユニットにおいて、複数の種別の前記運転条件データについて、データ名称及びデータ形式が共通化され、
前記データ要求ステップにおいて、前記新制御ユニットの制御部は、前記新制御ユニットが搭載された装置の制御に使用するか否かに拘わらず、前記旧制御ユニットに対して、データ名称及びデータ形式が共通化された全ての前記運転条件データの送信を要求し、
前記データ応答ステップにおいて、前記旧制御ユニットの制御部は、前記データ要求ステップによる前記運転条件データの送信の要求に応じて、前記旧制御ユニットのメモリに保持されたデータ名称及びデータ形式が共通化された全ての運転条件データを、前記新制御ユニットに送信し、
前記データ書き込みステップにおいて、前記新制御ユニットの制御部は、前記データ応答ステップにより、前記旧制御ユニットから送信されたデータ名称及びデータ形式が共通化された全ての運転条件データを受信して、前記新制御ユニットのメモリに書き込むことを特徴とする制御ユニット間のデータ継承方法。
【発明の詳細な説明】
【技術分野】
【０００１】
本発明は、装置に取り付けられた制御ユニットを交換する際に、交換前の制御ユニットで使用されていた運転条件データを、交換後の制御ユニットに継承させる方法に関する。
【背景技術】
【０００２】
従来、制御ユニットにより作動が制御される装置（例えば、ガス給湯装置等）において制御ユニットを交換する際に、交換前の制御ユニット（旧制御ユニット）でそれまで使用されていた運転条件データを、交換後の制御ユニット（新制御ユニット）に継承させる方法が提案されている（例えば、特許文献１参照）。
【０００３】
特許文献１には、バージョンによって運転条件データの構造が異なる制御ユニットを交換する際に、新制御ユニット側で、旧制御ユニットから受信した旧制御ユニットのバージョン用の運転条件データを、新制御ユニットのバージョン用の運転条件データに変換することによって、運転条件データを継承させる方法が記載されている。
【先行技術文献】
【特許文献】
【０００４】
【特許文献１】特開２０１１−２４７４７１号公報
【発明の概要】
【発明が解決しようとする課題】
【０００５】
特許文献１に記載されたデータ継承方法は、制御ユニットのバージョンによってデータ構造の違いを認識しているため、適用対象は、複数のバージョンが存在する同一型式の制御ユニットに限られる。
【０００６】
そのため、交換前の制御ユニットと交換後の制御ユニットの型式が異なり、各型式の制御ユニットについてそれぞれ、データ構造が相違する複数のバージョンが存在するときには、特許文献１に記載されたデータ継承方法によってデータを継承させることができない。
【０００７】
本発明は上記背景に鑑みてなされたものであり、型式が異なる制御ユニット間においてもデータの継承が可能な、制御ユニット間のデータ継承方法を提供することを目的とする。
【課題を解決するための手段】
【０００８】
上記目的を達成するために、本発明の制御ユニット間のデータ継承方法は、
装置に搭載して使用され、通信ポートと、メモリと、該メモリに保持された運転条件データを用いて前記装置の作動を制御する制御部とを備えた制御ユニットを交換する際に、交換前の旧制御ユニットのメモリに保持されていた前記運転条件データを、交換後の新制御ユニットに継承させる方法であって、
前記新制御ユニット及び前記旧制御ユニットは、同一種別の前記運転条件データについて、データ名称及びデータ形式が共通化された複数の型式の前記制御ユニットのうちのいずれかであり、
前記新制御ユニットの通信ポートと前記旧制御ユニットの通信ポート間の通信が確立されたときに、前記新制御ユニットの制御部が、前記旧制御ユニットに対して、前記共通化されたデータ名称の前記運転条件データの送信を要求するデータ要求ステップと、
前記旧制御ユニットの制御部が、前記データ要求ステップによる前記運転条件データの送信の要求に応じて、前記旧制御ユニットのメモリに保持された前記共通化されたデータ名称の前記運転条件データを、前記新制御ユニットに送信するデータ応答ステップと、
前記新制御ユニットの制御部が、前記データ応答ステップにより前記旧制御ユニットから送信された前記運転条件データを受信して、前記新制御ユニットのメモリに書き込むデータ書き込みステップと
を含むことを特徴とする。
【０００９】
かかる本発明によれば、前記複数の型式の制御ユニットにおいて、同一種別の前記運転条件データについて、データ名称及びデータ形式が共通化されている。そのため、前記データ要求ステップにおいて、前記新制御ユニットの制御部は、前記旧制御ユニットに対してデータ名称を指定して特定種別の前記運転条件データの送信を要求することができる。
【００１０】
そして、前記データ応答ステップにおいて、前記旧制御ユニットの制御部は、前記新制御ユニットからの前記運転条件データの送信の要求に応じて、前記旧制御ユニットのメモリに保持された特定種別の前記運転条件データを読み出して前記新制御ユニットに送信する。
【００１１】
続いて、前記データ書き込みステップにおいて、前記新制御ユニットの制御部は、前記旧制御ユニットから送信された前記運転条件データを、前記新制御ユニットのメモリに書き込む。これにより、前記新制御ユニットと前記旧制御ユニットの型式が異なる場合であっても、前記新制御ユニットと前記旧制御ユニットが前記複数の型式のいずれかであれば、前記新制御ユニットから前記新制御ユニットに前記運転条件データを継承させることができる。
【００１２】
また、前記複数の型式の制御ユニットにおいて、複数の種別の前記運転条件データについて、データ名称及びデータ形式が共通化され、
前記データ要求ステップにおいて、前記新制御ユニットの制御部は、前記新制御ユニットが搭載された装置の制御に使用するか否かに拘わらず、前記旧制御ユニットに対して、データ名称及びデータ形式が共通化された全ての前記運転条件データの送信を要求し、
前記データ応答ステップにおいて、前記旧制御ユニットの制御部は、前記データ要求ステップによる前記運転条件データの送信の要求に応じて、前記旧制御ユニットのメモリに保持されたデータ名称及びデータ形式が共通化された全ての運転条件データを、前記新制御ユニットに送信し、
前記データ書き込みステップにおいて、前記新制御ユニットの制御部は、前記データ応答ステップにより、前記旧制御ユニットから送信されたデータ名称及びデータ形式が共通化された全ての運転条件データを受信して、前記新制御ユニットのメモリに書き込むことを特徴とする。
【００１３】
この構成によれば、前記旧制御ユニットにメモリに保持されていたデータ名称及びデータ形式が共通化された全ての前記運転条件データが、前記新制御ユニットで使用されるか否かに拘わらず前記新制御ユニットに継承される。そのため、前記旧制御ユニットを前記新制御ユニットに交換して使用した後、前記新制御ユニットを前記旧制御ユニットと同じ型式の別の制御ユニットにさらに交換する場合に、前記新制御ユニットでは使用されなかったが前記旧制御ユニットで使用されていた前記運転条件データを、この別の制御ユニットに継承させることができる。
【図面の簡単な説明】
【００１４】
【図１】制御ユニット間でデータを継承させる際の接続態様の説明図。
【図２】データ名称及びデータ形式が共通化された運転条件データの説明図。
【図３】新制御ユニット（データ転送先の制御ユニット）におけるデータ転送処理のフローチャート。
【発明を実施するための形態】
【００１５】
本発明の実施形態について、図１〜図３を参照して説明する。
【００１６】
図１を参照して、制御ユニット１０は、貯湯槽内の水を加熱するヒートポンプと、貯湯槽に連通して貯湯槽から供給される湯水が流通する出湯路と、貯湯槽の湯切れが生じたときに作動して出湯路を流通する湯水を加熱する補助熱源機（ガス給湯器等）とを備えた複合型の貯湯式給湯装置（ハイブリッド給湯装置、例えば特開２０１４−２０２３７８号公報等に記載された構成を有する）に備えられて、ハイブリッド給湯装置の作動を制御する。
【００１７】
また、制御ユニット５０は、通水路を流通する水を加熱する即時式給湯装置（ガス給湯装置、石油給湯装置等）に備えられて、即時式給湯装置の作動を制御する。
【００１８】
図１は、即時式給湯装置をハイブリッド給湯装置に交換する際に、それまで使用されていた交換前の即時式給湯装置の制御ユニット５０（以下、旧制御ユニット５０という）で設定されていた運転条件データ（図示しない浴槽に湯を張る自動湯張り運転における湯張り量、自動湯張り運転における水位補正値等）を、交換後のハイブリッド給湯装置の制御ユニット１０（以下、新制御ユニット１０という）に転送して継承させる際の接続態様を示している。
【００１９】
新制御ユニット１０は、図示しないＣＰＵ、ＲＯＭ、インターフェース回路、及びＲＡＭ２２（本発明のメモリに相当する）等を備えたマイクロコンピュータ２０（以下、マイコン２０という）と、ＥＥＰＲＯＭ３０と、データ転送の開始を指示するためのデータ転送スイッチ１１と、データ転送状態等を表示するための７セグＬＥＤ１２と、直流電源１３と、商用電源５を接続するための電源コネクタ１４と、通信ポート１５とを備えている。
【００２０】
マイコン２０は、ＲＯＭに保持されたハイブリッド給湯装置の制御用プログラムをＣＰＵで実行することによって、ハイブリッド給湯装置の作動を制御する制御部２１として機能する。ＥＥＰＲＯＭ３０には、ハイブリッド給湯装置の作動の制御に用いられる運転条件データ３２と、後述する運転条件データの参照テーブルのデータ３１とが保持されている。直流電源１３は、商用電源５から供給される交流電力を直流電力に変換して、マイコン２０、ＥＥＰＲＯＭ３０、通信ポート１５等に供給する。
【００２１】
同様に、旧制御ユニット５０は、図示しないＣＰＵ、ＲＯＭ，インターフェース回路、及びＲＡＭ６２等を備えたマイクロコンピュータ６０（以下、マイコン６０という）と、ＥＥＰＲＯＭ７０と、データ転送スイッチ５１と、７セグＬＥＤ５２と、直流電源５３と、電源コネクタ５４と、通信ポート５５とを備えている。
【００２２】
マイコン６０は、ＲＯＭに保持された即時式給湯装置の制御用プログラムをＣＰＵで実行することによって、即時式給湯装置の作動を制御する制御部６１として機能する。ＥＥＰＲＯＭ７０には、即時式給湯装置の作動の制御に用いられる運転条件データ７２と、後述する運転条件データの参照テーブルのデータ７１とが保持されている。
【００２３】
次に、図２を参照して、新制御ユニット１０のＥＥＰＲＯＭ３０にデータが保持された運転条件データについてのデータ参照テーブル１００、及び旧制御ユニット５０のＥＥＰＲＯＭ７０にデータが保持された運転条件データについてのデータ参照テーブル１１０について説明する。
【００２４】
図２の左側の表は、新制御ユニット１０のデータ参照テーブル１００を示している。また、図２の右側の表は、旧制御ユニット５０のデータ参照テーブル１１０を示している。
【００２５】
本実施形態におけるハイブリッド給湯装置用の新制御ユニット１０の型式はＢであり、マイコン２０にはＶ１〜Ｖ４のバージョンがある。バージョンＶ１〜Ｖ３のマイコン２０においては、四つの種別の運転条件データに対して、ＤＡＴＡ１〜ＤＡＴＡ４というデータ名称とデータ形式が規定されている。
【００２６】
例えば、データ名称がＤＡＴＡ１の運転条件データについては、Ｄａｔａ1_1〜Ｄａｔａ1_6から成るデータ形式が規定され、名称ＤＡＴＡ２の運転条件データについては、Ｄａｔａ2_1〜Ｄａｔａ2_2から成るデータ形式が規定されている。
【００２７】
また、バージョンＶ４のマイコン２０においては、ＤＡＴＡ１〜ＤＡＴＡ４に加えて、ＤＡＴＡ５というデータ名称とデータ形式が規定されている。データ名称がＤＡＴＡ５である運転条件データについては、Ｄａｔａ5_1〜Ｄａｔａ5_4から成るデータ形式が規定されている。
【００２８】
次に、本実施形態における即時式給湯装置用の旧制御ユニット５０の型式はＡであり、マイコン６０にはＶ１〜Ｖ２のバージョンがある。バージョンＶ１のマイコン６０においては、四つの種別の運転条件データに対して、ＤＡＴＡ１〜ＤＡＴＡ４というデータ名称とデータ形式が規定されている。また、バージョンＶ２のマイコン６０においては、ＤＡＴＡ１〜ＤＡＴＡ４に加えて、ＤＡＴＡ５というデータ名称とデータ形式が規定されている。
【００２９】
図２に示したように、型式Ｂの新制御ユニット１０と型式Ｂの旧制御ユニット５０においては、五つの同一種別の運転条件データ毎に、データ名称ＤＡＴＡ１〜ＤＡＴＡ５とデータ形式が共通化されている。そのため、新制御ユニット１０は、旧制御ユニット５０に対して、データ名称を指定して所望の種別の運転条件データの送信を要求することができる。
【００３０】
なお、形式Ａの旧制御ユニット５０は、電源が供給されて作動を開始すると、ＥＥＰＲＯＭ７０に保持された運転条件データ７２及びデータ参照テーブル１１０のデータ７１を、ＲＡＭ６２に転送する。同様に、型式Ｂの新制御ユニット１０も、電源が供給されて作動を開始すると、ＥＥＰＲＯＭ３０に保持された運転条件データ３２とデータ参照テーブル１００のデータ３１を、ＲＡＭ２２に転送する。
【００３１】
以下、図１〜３を参照して、旧制御ユニット５０のＥＥＰＲＯＭ７０に保持された運転条件データを、新制御ユニット１０に転送して継承させる手順について説明する。
【００３２】
ガス給湯装置をハイブリッド給湯装置に交換する作業者等は、先ず、撤去する即時式給湯装置から取り外した旧制御ユニット５０の通信ポート５５と、新たに設置したハイブリッド給湯装置に搭載された新制御ユニット１０の通信ポート１５とを、通信ケーブル８０で接続して図１に示した状態とする。
【００３３】
そして、作業者等は、ハイブリッド給湯装置の電源を投入する。これにより、新制御ユニット１０の直流電源１３からマイコン２０に電力が供給されてマイコン２０が起動すると共に、通信ケーブル８０を介して新制御ユニット１０から旧制御ユニット５０に供給される電力によって、旧制御ユニット５０のマイコン６０も起動する。
【００３４】
新制御ユニット１０のマイコン２０と旧制御ユニット５０のマイコン６０が共に起動することにより、新制御ユニット１０の通信ポート１５と旧制御ユニット５０の通信ポート５５間の通信ケーブル８０を介した通信が確立される。
【００３５】
また、新制御ユニット１０の制御部２１は、図３に示されたフローチャートによる処理を開始し、図３のＳＴＥＰ１０で、データ転送スイッチ１１がＯＮになるのを待つ。そして、作業者等による操作によってデータ転送スイッチ１１がＯＮしたときにＳＴＥＰ２０に進む。
【００３６】
ＳＴＥＰ２０で、制御部２１は、データ転送用のカウント変数ｉをゼロにし、続くＳＴＥＰ３０のデータ転送ループを実行する。ＳＴＥＰ３０のデータ転送ループにおいて、制御部２１は、カウント変数ｉを１ずつ増やして、ＳＴＥＰ３１〜ＳＴＥＰ３４の処理を順次実行する。
【００３７】
ＳＴＥＰ３１で、制御部２１は、データ名称「ＤＡＴＡｉ（ｉ＝１，２，…）」の運転条件データの送信を要求するコマンドデータ（送信要求データ）を、旧制御ユニット５０に対して送信する。なお、ＳＴＥＰ３１の処理は、本発明の制御ユニット間のデータ継承方法におけるデータ要求ステップに相当する。
【００３８】
この送信要求データを受信した旧制御ユニット５０の制御部６１は、要求されたデータ名称「ＤＡＴＡｉ」の運転条件データがＲＡＭ６２に保持されているか否かを判断し、保持されている場合は、要求されたデータ名称「ＤＡＴＡｉ」の運転条件データを新制御ユニット１０に送信する。また、要求されたデータ名称「ＤＡＴＡｉ」の運転条件データがＲＡＭ６２に保持されていないときには、制御部６１は、データが存在しない旨を示す応答データを新制御ユニット１０に送信する。
【００３９】
なお、旧制御ユニット５０の制御部６１が、送信要求データに応じて、要求されたデータ名称の運転条件データを送信する処理は、本発明の制御ユニット間のデータ継承方法におけるデータ応答ステップに相当する。
【００４０】
続くＳＴＥＰ３２で、制御部２１は、送信要求データの送信に応じて、旧制御ユニット５０から送信されたデータ名称「ＤＡＴＡｉ」の運転条件データを受信したか否かを判断する。そして、旧制御ユニット５０からデータ名称「ＤＡＴＡｉ」の運転条件データを受信したときはＳＴＥＰ３３に進み、制御部２１は、受信したデータ名称「ＤＡＴＡｉ」の運転条件データを、ＲＡＭ２２に書き込んでＳＴＥＰ３４に進む。ＳＴＥＰ３４で、制御２１は、カウント変数ｉを１増加させる。
【００４１】
なお、ＳＴＥＰ３３で、制御部２１が、旧制御ユニット５０から受信した運転条件データをＲＡＭ２２に書き込む処理は、本発明の制御ユニット間のデータ継承方法におけるデータ書き込みステップに相当する。
【００４２】
そして、カウント変数が５以下であるときは、制御部２１は、１増加されたカウント変数ｉについてＳＴＥＰ３１〜ＳＴＥＰ３４の処理を実行する。また、カウント変数ｉが５を超えたときには、ＳＴＥＰ３０のデータ転送ループを抜けてＳＴＥＰ４０に進む。
【００４３】
ＳＴＥＰ４０で、制御部２１は、旧制御ユニット５０から受信してＲＡＭに書き込んだ運転条件データを、ＥＥＰＲＯＭ３０に書き込んで処理を終了する。これにより、図１を参照して、旧制御ユニット５０のＥＥＰＲＯＭ７０に保持されていた運転条件データ７２が、新制御ユニット１０に継承される。
【００４４】
また、ＳＴＥＰ３２で、旧制御ユニット５０からデータ名称「ＤＡＴＡｉ」の運転条件データを受信しなかったとき（データ名称「ＤＡＴＡｉ」の運転条件データが、旧制御ユニット５０に保持されていないとき）には、ＳＴＥＰ３４に分岐する。この場合は、上述したＳＴＥＰ３３のＲＡＭへの受信データの書き込みは行われない。
【００４５】
ここで、例えば、旧制御ユニット５０のマイコン６０のバージョンがＶ２であり、新制御ユニット１０のマイコン２０のバージョンがＶ４であるときには、図３のＳＴＥＰ３０のデータ転送ループにより、データ名称ＤＡＴＡ１〜ＤＡＴＡ５の運転条件データが、旧制御ユニット５０から新制御ユニット１０に転送される。
【００４６】
また、旧制御ユニット５０のマイコン６０のバージョンがＶ１であり、新制御ユニット１０のマイコン２０のバージョンがＶ４であるときには、旧制御ユニット５０のＥＥＰＲＯＭ７０にデータ名称ＤＡＴＡ５の運転条件データは保持されていない。そのため、図３のＳＴＥＰ３０のデータ転送ループにより、データ名称ＤＡＴＡ１〜ＤＡＴＡ４の運転条件データのみが旧制御ユニット５０から新制御ユニット１０に転送され、データ名称ＤＡＴＡ５の運転条件データは転送されない。
【００４７】
なお、データ名称ＤＡＴＡ１〜ＤＡＴＡ４のうち、例えば、途中のデータ名称ＤＡＴＡ３の運転条件データが旧制御ユニット５０に保持されていないときには、図３のＳＴＥＰ３０のデータ転送ループにより、データ名称ＤＡＴＡ３を除いて、データ名称ＤＡＴＡ１，ＤＡＴＡ２，ＤＡＴＡ４の運転条件データのみが転送される。
【００４８】
新制御ユニット１０の制御部２１は、ＥＥＰＲＯＭ３０に保持した運転条件データをＲＡＭ２２に転送し、この運転条件データを用いてハイブリッド給湯装置の作動を制御する。これにより、撤去された即時式給湯装置の旧制御ユニット５０で使用されていたＤａｔａ1_1〜Ｄａｔａ4_10の運転条件データを、新たに設置されたハイブリッド給湯装置の新制御ユニット１０に継承させて、ハイブリッド給湯装置を作動させることができる。
【００４９】
そのため、作業者等は、即時式給湯装置から交換したハイブリッド給湯装置について、自動湯張りの試運転等を行ってデータ名称ＤＡＴＡ１〜ＤＡＴＡ４（旧制御ユニット５０のマイコン６０のバージョンがＶ１である場合）、又はデータ名称ＤＡＴＡ１〜ＤＡＴＡ５（旧制御ユニット５０のマイコン６０のバージョンがＶ２である場合）の運転条件データを設定する作業を行う必要がない。
【００５０】
なお、本実施形態では、Ａ，Ｂという２種類の型式の制御ユニットについて、運転条件データのデータ名称とデータ形式を共通化する例を示したが、３種類以上の型式の制御ユニットについて、運転条件データのデータ名称とデータ形式を共通化してもよい。
【００５１】
また、本実施形態では、本発明の制御ユニットを備えた装置として、ハイブリッド給湯装置及び即時式給湯装置を示したが、本発明は、制御ユニットを備えた他の種類の装置間で運転条件データを継承させる場合にも適用可能である。
【００５２】
また、本実施形態では、即時式給湯装置をハイブリッド給湯装置に交換する場合の運転条件データの継承について説明したが、装置間で運転条件データを継承させる場合の他、装置単体において、故障した古い型式の制御ユニットを新しい型式の制御ユニットに交換する場合にも、本発明を適用して運転条件データを継承させることができる。
【００５３】
また、本実施形態では、図２に示したデータ名称とデータ形式が共通化された運転条件データのうち、旧制御ユニット５０で使用されていた運転条件データのみ（旧制御ユニット５０のマイコン６０のバージョンがＶ１であるときには、データ名称ＤＡＴＡ１〜ＤＡＴＡ４の運転条件データのみ）を転送した。しかし、旧制御ユニット５０で使用されていたか否かに拘わらず、データ名称及びデータ形式が共通化された全ての運転条件データを転送するようにしてもよい。
【００５４】
この場合は、データ名称及びデータ形式が共通化された全ての運転条件データを全て使用する型式Ｂの旧制御ユニット５０（マイコン６０のバージョンがＶ２）が、データ名称ＤＡＴＡ１〜ＤＡＴＡ４のみを使用する型式Ａの新制御ユニット１０（マイコン２０のバージョンがＶ１〜Ｖ３）に交換された後、さらに、型式Ｂの他の制御ユニット（マイコン６０のバージョンがＶ２）に交換されたときに、１台目の形式Ｂの制御ユニットで使用されていたデータ名称ＤＡＴＡ５の運転条件データを、３台目の形式Ｂの制御ユニットに継承させることができる。
【符号の説明】
【００５５】
１０…新制御ユニット（運転条件データの転送先の制御ユニット）、２０…マイクロコンピュータ、２１…制御部、２２…ＲＡＭ（メモリ）、３０…ＥＥＰＲＯＭ、３２…運転条件データ、５０…旧制御ユニット（運転条件データの転送元の制御ユニット）、６０…マイクロコンピュータ、６１…制御部、６２…ＲＡＭ（メモリ）、７０…ＥＥＰＲＯＭ、７２…運転条件データ。
【図１】
2016151362.tif 000003
【図２】
2016151362.tif 000004
【図３】
2016151362.tif 000005